(57)【要約】【課題】排気フィルタを内装し外気に連通する本体の排気口を持つ排気室と塵埃を集塵する集塵室とが近接して配置され、排気室と集塵室共通の蓋体と排気室と集塵室の隔壁を設けてなるアプライト型電気掃除機において、隔壁には大きな差圧が生じるため強度が必要であるが、厚くするなどの強度確保を行うと外観に変形などが出るため、性能が容易に上げられないという課題があった。【解決手段】隔壁１３を蓋体８と別部材にすることにより、蓋体８の外観に影響を与えずに隔壁１３を厚く強くするなどの補強することができ、より性能が高く外観の良いアプライト型電気掃除機が実現できる。【選択図】図１
2006326028.tif 000002
【特許請求の範囲】
【請求項１】
ファンモータを内蔵し、前面上方にモータ室排気口を形成したモータ室と、前記モータ室の上部で前記ファンモータの吸引側に位置させた集塵室およびこの集塵室の上方へ突出するハンドルを有する掃除機本体と、前記集塵室およびモータ室排気口前方を覆う蓋体と、前記掃除機本体の下方に回動軸を介して回動自在に軸支され、前記集塵室に連通する吸込口を前部下方に設けた床ノズルとを具備し、前記蓋体に掃除機本体のモータ室排気口と集塵室を仕切る隔壁を設けて、モータ室排気口の下流側に排気室を形成し、さらにこの排気室に対応して蓋体には蓋排気口を設けるとともに、その蓋排気口の内側に排気フィルタを着脱自在に取り付け、前記蓋体と、モータ室排気口と集塵室を仕切る隔壁とを、分離独立した部材で形成したアプライト型電気掃除機。
【請求項２】
蓋体と隔壁を、シール体を介して略一体に接合してなる請求項１記載のアプライト型電気掃除機。
【請求項３】
蓋体と隔壁の間にインローなどの接合形状を成して形成することにより略一体に接合してなる請求項１記載のアプライト型電気掃除機。
【請求項４】
蓋体の一部と隔壁の一部をもってモータ室排気口の周囲に近接もしくは接合することにより、モータ室排気口と排気室をタイトしてなる請求項１記載のアプライト型電気掃除機。
【請求項５】
モータ室排気口の周囲を凸形状にして、蓋体の一部と隔壁の一部をもってモータ室排気口の周囲の凸形状を覆ってなる請求項４記載のアプライト型電気掃除機。
【請求項６】
隔壁が排気フィルタを支持固定もしくはモータ室排気口を覆うように排気フィルタを配置し、隔壁で排気フィルタを支持する請求項１記載のアプライト型電気掃除機。
【発明の詳細な説明】
【技術分野】
【０００１】
本発明は主としてアプライト型電気掃除機に関するものである。
【背景技術】
【０００２】
従来のアプライト型電気掃除機を、図８を用いて説明する。ファンモータ４１を内蔵し、前面上方にモータ室排気口４２を形成したモータ室４３、このモータ室４３の上部でファンモータ４１の吸引側に位置させた集塵室４４およびこの集塵室４４の上方へ突出するハンドル４５を有する掃除機本体４０と、上記集塵室４４およびモータ室排気口４２前方を覆う蓋体４６と、上記掃除機本体４０の下方に回動軸４７を介して回動自在に軸支され、上記集塵室４４に連通する吸込口４８を前部下方に設けた床ノズル４９とを具備し、上記蓋体４６に掃除機本体４０のモータ室排気口４２と集塵室４４を仕切る隔壁５０を設けて、モータ室排気口４２の下流側に排気室５１を形成し、さらにこの排気室５１に対応して蓋体４６には蓋排気口５２を設けるとともに、その蓋排気口５２の内側に排気フィルタ５３を着脱自在に取り付けたアプライト型電気掃除機が一般に知られている（例えば、特許文献１参照）。
【特許文献１】実公平５−１３３４４号公報
【発明の開示】
【発明が解決しようとする課題】
【０００３】
しかしながら、上記構成では、排気室と集塵室を分割する隔壁にはモータファンの吸気側と排気側となるために大きな差圧が生じる。また隔壁は集塵室の蓋体と一体に整形されているため、肉厚を厚くすると蓋体の外観に収縮などの変形が生じるなどの不都合が発生しやすいため、外観を確保するためには容易にモータファンなどの性能をあげることができない強という課題があった。
【０００４】
本発明は上記課題を解決するもので、隔壁に十分な強度を確保しつつ蓋体の外観などに影響を出さない、外観が良く、より性能の高いアプライト型電気掃除機を実現するものである。
【課題を解決するための手段】
【０００５】
上記従来の課題を解決するために本発明では、隔壁を蓋体と別部材にすることにより、蓋体の外観に影響を与えずに隔壁を厚く強くするなどの補強することができ、より性能が高く外観の良いアプライト型電気掃除機が実現するものである。
【発明の効果】
【０００６】
本発明は、本体の外観に影響を与えずに隔壁を厚く強くするなどの補強ができ、より性能が高く外観の良いアプライト型電気掃除機を提供することができる。
【発明を実施するための最良の形態】
【０００７】
第１の発明は、ファンモータを内蔵し、前面上方にモータ室排気口を形成したモータ室と、前記モータ室の上部で前記ファンモータの吸引側に位置させた集塵室およびこの集塵室の上方へ突出するハンドルを有する掃除機本体と、前記集塵室およびモータ室排気口前方を覆う蓋体と、前記掃除機本体の下方に回動軸を介して回動自在に軸支され、前記集塵室に連通する吸込口を前部下方に設けた床ノズルとを具備し、前記蓋体に掃除機本体のモータ室排気口と集塵室を仕切る隔壁を設けて、モータ室排気口の下流側に排気室を形成し、さらにこの排気室に対応して蓋体には蓋排気口を設けるとともに、その蓋排気口の内側に排気フィルタを着脱自在に取り付け、前記蓋体と、モータ室排気口と集塵室を仕切る隔壁とを、分離独立した部材で形成したアプライト型電気掃除機としたことにより、蓋外観に影響することなく、例えば隔壁の厚み厚くしてより強度の高い隔壁を形成することができるもので、強度と外観を両立したアプライト型電気掃除機を実現することができる。
【０００８】
第２の発明は、蓋体と隔壁を、シール体を介して略一体に接合することにより、集塵室と排気室の排気漏れをより確実に防止でき、集塵室と排気室を確実に分離したアプライト型電気掃除機を実現することができる。
【０００９】
第３の発明は、蓋体と隔壁の間にインローなどの接合形状を成して形成することにより蓋体と隔壁が略一体となり、シール体などの別部材を設けず、集塵室と排気室の排気漏れをより確実に防止でき、集塵室と排気室を確実に分離したアプライト型電気掃除機を実現することができる。
【００１０】
第４の発明は、蓋体の一部と隔壁の一部をもってモータ室排気口の周囲に近接もしくは接合することにより、モータ室排気口と排気室を連続して形成でき、排気の外気漏れをより少なくタイトして、より排気のきれいなアプライト型電気掃除機を実現することができる。
【００１１】
第５の発明は、モータ室排気口の周囲を凸にし、蓋体の一部と隔壁の一部をもってモータ室排気口の周囲を覆うことにより、さらに排気の外気漏れをより少なくタイトして、より排気のきれいなアプライト型電気掃除機を実現することができる。
【００１２】
第６の発明は、隔壁が排気フィルタを支持固定もしくはモータ室排気口を覆うようにフィルタを配置し、隔壁で圧接して排気フィルタを支持することにより、より強固な隔壁で排気フィルタを圧接することにより、より確実に排気が排気フィルタを通過するようになり、より排気のきれいなアプライト型電気掃除機を実現することができる。
【００１３】
以下、本発明の実施の形態について、図面を参照しながら説明する。なお、この実施の形態によりこの発明が限定されるものではない。
【００１４】
（実施の形態１）
本発明の第１の実施の形態について、図１〜図４を用いて説明する。
【００１５】
図１は、本発明の第１の実施の形態であるアプライト型電気掃除機本体１の縦断面図である。また、図２は同縦断面図の要部拡大図である。
【００１６】
ファンモータ２はモータ室３に内装されており、モータ室３にはファンモータ２の吸気側に望んだモータ室吸気口４、ファンモータ２の排気側に望んだモータ室排気口５が形成されている。モータ室３とモータ室吸気口４を介して連通する集塵室６は前記モータ室３の略上方に位置する。集塵室６のさらに上方には上方へ突出してハンドル７が形成されている。さて、集塵室６およびモータ室排気口５前方にはそれらを覆う蓋体８が着脱自在に配置されている。これらの集塵室６およびモータ室３の下方には回動軸９を介して回動自在に軸支された床ノズル１０があり、その略前部下方には集塵室６に連通する吸込口１１を設け、その吸込口１１内には回転ブラシ１２が設けられている。蓋体８にはモータ室排気口５と集塵室６を仕切る隔壁１３を設けて、モータ室排気口５の下流側に排気室１４を形成し、排気室１４から外気に向けて、蓋体排気口１５が形成されている。排気室１４にはモータ室排気口５から蓋体排気口１５を略分離すべく排気フィルタ１６が配置されている。排気室１４は排気フィルタ１６によりモータ室排気口５に望んだ内排気室１７と蓋体排気口１５に望んだ外排気室１８に分離される。
【００１７】
以上のように構成されたアプライト型電気掃除機において、その動作を説明する。
【００１８】
操作者が電源スイッチ（図示せず）を操作し、運転を始めるとファンモータ２が運転し、吸込口１１内の回転ブラシ１２を回転するとともに吸引を行う。吸引された塵埃は吸引された空気とともに前記集塵室６へ流入し、塵埃は捕集され、ファンモータ２を介してモータ室排気口５から内排気室１７へと排気される。内排気室１７から排気フィルタ１６でさらに微塵を捕集された後、外排気室１８を経由し、内排気格子２０の間を通過した後、外排気格子１９の間を通過し、外気へと排出される。こうして掃除作業を行うものである。
【００１９】
ここで、隔壁１３は蓋体８と分離独立した部材よりなり、シール体１９を介して蓋体８に略一体に接合されている。運転を開始すると集塵室６はファンモータ２により吸引されるため、負圧になり、排気室１４は逆に気圧が高くなるため、隔壁１３にはその両方の差圧がかかるため、大きな力がかかる。この隔壁１３は蓋体８と分離しているため、隔壁１３を厚く強固にしたとしても、前記蓋体８の外観にはその影響が出ない。そのため、必要に応じて隔壁１３を蓋体８の肉厚と比べても厚くすることできるものである。また、隔壁１３のみをより強度のある材質として構成することも可能となるものである。
【００２０】
また、隔壁１３を蓋体８異なる耐熱性の高い材料とすることも可能であり、隔壁１３を耐熱性の高い材料とすると、より温度の高い排気が当たっても熱変形などを防止でき、熱変形しないことで、排気の吸気側への漏れなどの支障も防止できるものである。
【００２１】
同時に隔壁１３を別部材にしても隔壁１３と蓋体８の間には軟質な材質よりなるシール体１９を介して接合されていることにより、強い差圧がかかっても排気室１４から集塵室６へ漏れ流入することがないものである。このように隔壁１３を蓋体８と分離独立した部材よりなり、シール体１９を介して蓋体８に略一体に接合することにより、外観等に影響を与えず、ファンモータ２をより強くしても排気漏れなどによる性能低下のないアプライト型電気掃除機が実現できるものである。
【００２２】
なお、ここでは隔壁１３と蓋体８の間に軟質体よりなるシール体１９を挟み込むことにより隔壁１３と蓋体８を略一体化する例で説明を行ったが、隔壁１３と蓋体８を、直接インロー形状を形成することによって、接合しても同様のもしくはより近い効果が得られるものである。
【００２３】
さて、隔壁１３の両側壁２０はモータ室排気口５の周囲でモータ室３の外殻をなすモータ室外殻２１に近接して形成されている。これによって回動自在に摺動するとともに排気の漏れを防ぎ、よりきれいな排気のアプライト型電気掃除機が実現できるものである。
【００２４】
なお、ここでは隔壁１３の両側壁２０がモータ室外殻２１に近接する例で説明を行ったが、ここでの側壁２０は排気室１４の側壁であり、その一部が蓋体８と一体のリブで形成されたとしても特許の意図から逸脱するものではない。
【００２５】
また、図３にある通り、モータ室排気口５の周囲を略凸形状２２に形成するとともに、その凸形状の周りの鉛直面２３と前記した隔壁１３の両側壁２０を近接させることにより、さらにタイト面を増加させ排気の漏れを防ぎ、よりきれいな排気のアプライト型電気掃除機が実現できるものである。
【００２６】
加えて、図４は蓋体の下端近傍の拡大断面図である。蓋体８の下端２４はモータ室３の外殻をなすモータ室外殻２１近接して構成されている。これによって排気室１４からの外気への漏れを防止している。蓋体８の下端２４のごく近傍にはモータ室外殻２１から外側に向かうガイドリブ２５が設けられており、前記蓋体８の下端２４より漏れる排気もガイドリブ２５によりガイドされ、水平以上に排出される。そのため、万一漏れた排気も上方に向かうため、床面の塵埃を吹飛ばすことはないものであり、より良い使い勝手が実現できるものである。
【００２７】
（実施の形態２）
本発明の第２の実施の形態について図５をもとに説明する。なお、上記実施の形態１と同一部分については同一符号を付してその説明を省略する。
【００２８】
図４は蓋排気口１５近傍の断面図である。蓋排気口１５の内側には排気フィルタ２６が
同蓋排気口１５の内側を覆うように配置されている。排気フィルタ２６のフィルタ支持枠２７の蓋排気口１５側にはパッキン２８が排気フィルタ２６の通気面の周囲を囲むように配置されている。なお、同排気フィルタ２６は隔壁１３によってガイドされ、同蓋排気口１５内側へ圧接されている。
【００２９】
以上のように構成されたアプライト型電気掃除機において、その動作を説明する。
【００３０】
運転を開始するとファンモータ２からの排気は排気フィルタ２６を通って排出されるが、排気フィルタ２６が蓋排気口１５の内側に圧接されているため、漏れることなく蓋排気口１５から排気される。このように排気の漏れを防ぎ、よりきれいな排気のアプライト型電気掃除機が実現できるものである。
【００３１】
なお、本実施の形態にあってはパッキン２９が蓋排気口１５に圧接される例で説明を行ったが、図６に示すように例えばパッキン２９を排気フィルタ３０の周囲に設け、蓋排気口１５の内側面に設けた枠リブ３１との間でタイトしても同様の効果を有するものである。
【００３２】
（実施の形態３）
本発明の第３の実施の形態について図７をもとに説明する。なお、上記実施の形態１、２と同一部分については同一符号を付してその説明を省略する。
【００３３】
図６はモータ室排気口５近傍の断面図である。
【００３４】
排気フィルタ３２はモータ室排気口５を覆うように配置され、排気フィルタ３２の周囲のフィルタ支持枠３３にはそのモータ室排気口５に当接する側にパッキン３４設けられている。
【００３５】
以上のように構成されたアプライト型電気掃除機において、その動作を説明する。
【００３６】
運転を開始するとファンモータ２からの排気はモータ室排気口５から排気室１４へ流入する。モータ室排気口５から排気室１４へ流入する排気はパッキン３４にタイトされているため、排気のすべてが排気フィルタ３２を通って排出されることとなるため、排気フィルタ３２を通って排出されるが、排気フィルタ３２が蓋排気口１５の内側に圧接されているため、漏れることなく蓋排気口１５から排気される。このように排気の漏れを防ぎ、よりきれいな排気のアプライト型電気掃除機が実現できるものである。
【００３７】
なお、以上説明した本発明の実施の形態はそれぞれ代表例として説明を行ったものであり、本実施の形態が本発明の請求の範囲を制限するものではない。
【産業上の利用可能性】
【００３８】
以上のように、本発明にかかるアプライト型電気掃除機は、例えばモータ性能が高く吸気と排気の圧力差が高くなったとしても、隔壁をより強固に例えば厚く、例えば強度の高い材質で形成することが可能となるとともに外観に変形などを起こすことなく構成できるもので、良好な外観と良好な吸い込み性能、十分な強度を実現でき、より吸い込み性能の高いアプライト型電気掃除機の構成に極めて有用なものである。
【図面の簡単な説明】
【００３９】
【図１】本発明の実施の形態１を示すアプライト型電気掃除機の縦断面図
【図２】本発明の実施の形態１を示すアプライト型電気掃除機の縦断面図の要部拡大図
【図３】本発明の実施の形態１を示すアプライト型電気掃除機の要部局部断面図
【図４】本発明の実施の形態１を示すアプライト型電気掃除機の蓋体の下端近傍の拡大断面図
【図５】本発明の実施の形態２を示すアプライト型電気掃除機の蓋排気口近傍の断面図
【図６】本発明の実施の形態２を示すアプライト型電気掃除機の蓋排気口近傍の断面図
【図７】本発明の実施の形態３を示すアプライト型電気掃除機のモータ室排気口近傍の断面図
【図８】従来のアプライト型電気掃除機の断面図
【符号の説明】
【００４０】
１  アプライト型電気掃除機本体
２  ファンモータ
３  モータ室
４  モータ室吸気口
５  モータ室排気口
６  集塵室
７  ハンドル
８  蓋体
９  回動軸
１０  床ノズル
１１  吸込口
１２  回転ブラシ
１３  隔壁
１４  排気室
１５  蓋体排気口
１６  排気フィルタ
１７  内排気室
１８  外排気室
１９  シール体
２０  両側壁
２１  モータ室外殻
２２  略凸形状
２３  鉛直面
２４  下端
２５  ガイドリブ
２６  排気フィルタ
２７  フィルタ支持枠
２８  パッキン
２９  パッキン
３０  排気フィルタ
３１  枠リブ
３２  排気フィルタ
３３  フィルタ支持枠
３４  パッキン
【図１】
2006326028.tif 000003
【図２】
2006326028.tif 000004
【図３】
2006326028.tif 000005
【図４】
2006326028.tif 000006
【図５】
2006326028.tif 000007
【図６】
2006326028.tif 000008
【図７】
2006326028.tif 000009
【図８】
2006326028.tif 000010